(57)【要約】【課題】マルチチャンネルによるサラウンド音声のチャンネル数よりも少ないチャンネルの信号から、元のサラウンド音声に再生可能なチャンネル数変換回路を提供する。【解決手段】３つの音声信号Ｃ，ＬＳ，ＲＳを記録した記録装置が再生ＶＴＲ１０にセットされると、再生ＶＴＲ１０は、当該３つの音声信号Ｃ，ＬＳ，ＲＳを読み出す。３ｃｈ−５ｃｈ変換回路６は、音声信号Ｃ，ＬＳ，ＲＳを入力し、（２）式により、他の音声信号Ｌ，Ｒを生成し、元の５チャンネルサラウンド音声信号Ｃ，ＬＳ，ＲＳ，Ｌ，Ｒを出力する。すなわち、３ｃｈ−５ｃｈ変換回路６は、３チャンネルの音声信号を５チャンネルの音声信号に変換する。このように、再生装置１１は、収音時に記録された３チャンネルの音声信号を、再生時に、元の５チャンネルサラウンド音声信号に復元することができる。【選択図】図１
2007181191.tif 000002
【特許請求の範囲】
【請求項１】
記録装置に記録された音声を読み出し、該音声からマルチチャンネルのサラウンド音声を再生する再生装置に備えた回路であって、前記記録された音声のチャンネル数をサラウンド音声のチャンネル数に変換するチャンネル数変換回路において、
サラウンド音声を形成する全てのチャンネルを第１のチャンネル群とし、
該第１のチャンネル群のうちの、該チャンネルの数よりも少ない数のチャンネルを第２のチャンネル群とし、
前記第１のチャンネル群のうち、第２のチャンネル群以外のチャンネルを第３のチャンネル群とし、
前記記録装置に第２のチャンネル群の音声信号が記録されている場合に、
記録装置から読み出された第２のチャンネル群の音声信号をそれぞれ入力し、
演算回路により、前記第２のチャンネル群のそれぞれの音声信号に所定の演算を施し、第３のチャンネル群の音声信号をそれぞれ生成し、
前記第２のチャンネル群の音声信号及び第３のチャンネル群の音声信号を、第１のチャンネル群であるサラウンド音声信号として出力することを特徴とするチャンネル数変換回路。
【請求項２】
双方向性マイク、または該双方向性マイクを形成する２つの単一指向性マイクをサイドマイクとし、主軸をそれぞれ前後に向けた２つの単一指向性マイクをミッドマイクとして構成したマイクにより、５チャンネルサラウンド音声が収音され、該収音された音声のうちの３チャンネルの音声信号が記録装置に記録され、該３チャンネル音声信号を５チャンネルサラウンド音声信号に変換するチャンネル数変換回路であって、
記録装置から読み出された３チャンネル音声信号を入力し、
演算回路により、前記３チャンネル音声信号に所定の演算を施し、他の２チャンネル音声信号を生成し、
前記３チャンネル音声信号及び２チャンネル音声信号を、５チャンネルサラウンド音声信号として出力することを特徴とするチャンネル数変換回路。
【請求項３】
請求項２に記載のチャンネル数変換回路において、
前記３チャンネル音声信号を、５チャンネルサラウンド音声信号Ｃ、Ｌ、Ｒ、ＬＳ及びＲＳのうちの音声信号Ｃ、ＬＳ及びＲＳとし、
前記演算回路は、ａ、ｂ、ｅ及びｆを定数とした場合に、
2007181191.tif 000007
の数式により、他の２チャンネル音声信号Ｌ及びＲを生成することを特徴とするチャンネル数変換回路。
【請求項４】
請求項２に記載のチャンネル数変換回路において、
前記３チャンネル音声信号を、５チャンネルサラウンド音声信号Ｃ、Ｌ、Ｒ、ＬＳ及びＲＳにおける、音声信号Ｃ、Ｌ及びＲのうちの２つの信号、並びにＬＳ及びＲＳのうちの１つの信号とすることを特徴とするチャンネル数変換回路。
【請求項５】
請求項２に記載のチャンネル数変換回路において、
前記３チャンネル音声信号を、５チャンネルサラウンド音声信号Ｃ、Ｌ、Ｒ、ＬＳ及びＲＳにおける、音声信号Ｃ、Ｌ及びＲのうちの１つの信号、並びにＬＳ及びＲＳの２つの信号とすることを特徴とするチャンネル数変換回路。
【発明の詳細な説明】
【技術分野】
【０００１】
本発明は、サラウンド音声を制作する放送、映画等の分野に用いる立体音響収音再生技術に関し、特に、マルチチャンネルのサラウンド音声を効率良く記録し、元のサラウンド音声に再生するためのチャンネル数変換技術に関する。
【背景技術】
【０００２】
従来、地上波デジタル放送等の開局に伴い、５．１サラウンド等のマルチチャンネル音声を用いた番組が制作及び放送されるようになっている。テレビ放送番組の制作においては、マルチチャンネル音声は、臨場感を高めるために用いられることがある。このマルチチャンネル音声を記録するためには、当該音声のチャンネル数以上のトラックを有する音声記録装置が必要である。
【０００３】
例えば、屋外のロケ地には、いわゆるＶロケカメラと呼ばれるＶＴＲ一体型ビデオカメラが用いられる。このＶＴＲ一体型ビデオカメラには、映像を記録することができるが、５チャンネルのサラウンド音声を記録することができない。これは、ＶＴＲ一体型ビデオカメラの音声記録トラックが一般に４以下であるため、４チャンネル以下の音声しか記録できないからである。このため、５チャンネルのサラウンド音声を記録するには、専用のサラウンドマイク及び専用のマルチトラック録音機が用いられることが多い。このように、映像と音声とを別々の装置に記録する場合は、両者の時間的同期をとる必要がある。このため、ＶＴＲ一体型ビデオカメラのＶＴＲ及びマルチトラック録音機の双方に、同一のタイムコードが記録される。そして、編集作業時には、双方に記録されたタイムコードを参照し、映像と音声とを同期させ、最終的に映像及び音声は、多チャンネル音声トラックを有する記録媒体に記録される。
【０００４】
この５チャンネルサラウンド音声を収音するために、ダブルＭＳマイクを用いることがある（例えば、非特許文献１を参照）。図４は、ダブルＭＳマイクの収音原理を示す図である。このダブルＭＳマイク７は、前方に主軸を向けた前方収音用単一指向性ミッドマイク１２と、両サイドに主軸を向けた双指向性サイドマイク１３と、後方に主軸を向けた後方収音用単一指向性ミッドマイク１４と、加算器１５−１，１５−３と、減算器１５−２，１５−４とを備えている。前方収音用単一指向性ミッドマイク１２は信号Ｍを、双指向性サイドマイク１３は信号ＳＬ−ＳＲを、後方収音用単一指向性ミッドマイク１４は信号Ｂをそれぞれ出力する。Ｃ（中央），Ｌ（左），Ｒ（右），ＬＳ（左後ろ）、ＲＳ（右後ろ）は５チャンネルサラウンド出力の信号である。
【０００５】
加算器１５−１は、前方収音用単一指向性ミッドマイク１２から信号Ｍを、双指向性サイドマイク１３から信号ＳＬ−ＳＲをそれぞれ入力し、加算処理を施して信号Ｌを出力する。減算器１５−２は、前方収音用単一指向性ミッドマイク１２から信号Ｍを、双指向性サイドマイク１３から信号ＳＬ−ＳＲをそれぞれ入力し、減算処理を施して信号Ｒを出力する。加算器１５−３は、後方収音用単一指向性ミッドマイク１４から信号Ｂを、双指向性サイドマイク１３から信号ＳＬ−ＳＲをそれぞれ入力し、加算処理を施して信号ＬＳを出力する。減算器１５−４は、後方収音用単一指向性ミッドマイク１４から信号Ｂを、双指向性サイドマイク１３から信号ＳＬ−ＳＲをそれぞれ入力し、減算処理を施して信号ＲＳを出力する。また、図示しない演算器は、前方収音用単一指向性ミッドマイク１２から信号Ｍを入力し、所定の演算処理を施して信号Ｃを出力する。尚、加算処理、減算処理及び所定の演算処理は、入力した信号に対し予め設定された係数を乗算した後に行われる。このように、ダブルＭＳマイク７は、音声を収音し、和差回路１５−１〜１５−４により５チャンネルサラウンド信号Ｃ，Ｌ，Ｒ，ＬＳ，ＲＳを生成し、出力する。
【０００６】
尚、ダブルＭＳマイク７は、サイドマイクとして双指向性サイドマイク１３を備えているが、双指向性サイドマイク１３の代わりに、左に主軸を向けた単一指向性マイク、及び右に主軸を向けた単一指向性マイクの２つの単一指向性マイクを備える場合もある。この場合、ダブルＭＳマイク７の製造コストを抑えることができる。
【０００７】
このダブルＭＳマイク７を用いて５チャンネルサラウンド音声を記録するためには、５チャンネル以上の音声記録トラックを有する専用のマルチトラック録音機が必要になる。
【０００８】
【非特許文献１】下山幸一、林江美、「フィールドにおける各種サラウンドマイクアレーの聴感比較テスト  ＡＥＳ東京コンベンション２００５予稿集」、ＡＥＳ日本支部、２００５年７月１２日、ｐ．４６−４９
【発明の開示】
【発明が解決しようとする課題】
【０００９】
前述したように、映像及び５チャンネルサラウンド音声を記録するには、ＶＴＲ一体型ビデオカメラのみでは足りず、図４に示したダブルＭＳマイク７からの５チャンネルサラウンド音声を記録するマルチトラック録音機を用いることになる。この場合、映像と音声とを別々の機器に記録する必要があり、同一の機器に記録するのに比べて煩雑になる。その理由は以下のとおりである。
（１）専用のマルチトラック録音機が必要になる。
（２）ＶＴＲ一体型ビデオカメラのＶＴＲ及びマルチトラック録音機の双方にタームコードを記録し、同期再生する必要がある。
（３）サラウンド音声を記録するために要員が必要になる。
（４）ダブルＭＳマイクをＶＴＲ一体型ビデオカメラに装着しない場合は、映像と音声との間の位置関係が連動しない。
（５）ＶＴＲ一体型ビデオカメラにダブルＭＳマイクを装着する場合は、それぞれのケーブルを引き回す必要がある。
【００１０】
そこで、本発明は、かかる課題を解決するためになされたものであり、その目的は、映像と音声とを同一の機器に記録することができるように、マルチチャンネルサラウンド音声のチャンネル数よりも少ないチャンネルの信号から、元のサラウンド音声に再生可能なチャンネル数変換回路を提供することにある。
【課題を解決するための手段】
【００１１】
本発明によるチャンネル数変換回路は、マルチチャンネルサラウンド音声のチャンネル数よりも少ないチャンネルの信号を、元のサラウンド音声の全チャンネルの信号に変換するものである。この変換原理について、５チャンネルサラウンド音声を構成する３チャンネルの音声信号を、元の５チャンネルの音声信号に変換する例を用いて説明する。この例は、５チャンネルよりも少ない３チャンネルの音声を映像と共に、４つの音声記録トラックを有するＶＴＲ一体型ビデオカメラの記録装置に記録し、この記録した３チャンネルの音声を元の５チャンネルの音声に変換することにより、映像と共に元の音声を再生するものである。これにより、映像と音声とを単体のＶＴＲ一体型ビデオカメラの記録装置に記録することができる。
【００１２】
図５は、本発明の変換原理を説明するための図である。このダブルＭＳマイク７は、図４に示したダブルＭＳマイク７と同等の機能を有する。図５に示すダブルＭＳマイク７は、図４に示したダブルＭＳマイク７と比べると、双指向性サイドマイク１３の代わりに２つの単一指向性サイドマイク１６−１，１６−２を備えている点で相違する。演算回路１７は、前方収音用単一指向性ミッドマイク１２から信号Ｍ（前向きの単一指向性の出力信号）を、単一指向性サイドマイク１６−１から信号ＳＲ（右向きの単一指向性の出力信号）を、単一指向性サイドマイク１６−２から信号ＳＬ（左向きの単一指向性の出力信号）を、後方収音用単一指向性ミッドマイク１４から信号Ｂ（後ろ向きの単一指向性の出力信号）をそれぞれ入力し、以下の（１）式に示す５チャンネルサラウンド音声信号に合成し、出力する。
【数１】
2007181191.tif 000003
ここで、ａ，ｂ，ｄ，ｅ，ｆは定数を示す。
【００１３】
例えば、（１）式から、５チャンネルサラウンド音声信号Ｌ，Ｒ，Ｃ，ＬＳ，ＲＳは、信号Ｍ，Ｂ，（ＳＬ−ＳＲ）により表されているため、お互いに独立した信号ではなく、５チャンネルサラウンド音声信号のうちのＬ，Ｒが、Ｃ及び（ＬＳ−ＲＳ）から求められることがわかる。この関係を以下の（２）式に示す。
【数２】
2007181191.tif 000004
したがって、演算回路１７の出力信号である５チャンネルサラウンド音声信号のうちのＣ，ＬＳ及びＲＳの３チャンネルの信号が記録されれば、後に、Ｌ及びＲを含む元の５チャンネルサラウンド音声信号に復元することができる。
【００１４】
同様に、（１）式から、５チャンネルサラウンド音声信号のうちのＬＳ，Ｃが、Ｌ，Ｒ及びＲＳから求められることがわかる。この関係を以下の（３）式に示す。
【数３】
2007181191.tif 000005
したがって、演算回路１７の出力信号である５チャンネルサラウンド音声信号のうちのＬ，Ｒ及びＲＳの３チャンネルの信号が記録されれば、後に、ＬＳ及びＣを含む元の５チャンネルサラウンド音声信号に復元することができる。
【００１５】
すなわち、（１）式から、５チャンネルサラウンド音声信号において、Ｌ，Ｒ，Ｃのうちの任意の２信号及びＬＳ，ＲＳのうちの任意の１信号を組み合わせた３チャンネルの信号、または、Ｌ，Ｒ，Ｃのうちの任意の１信号及びＬＳ，ＲＳの２信号を組み合わせた３チャンネルの信号が記録されれば、後に、元の５チャンネルサラウンド音声信号に復元することができる。
【００１６】
このように、図５に示したダブルＭＳマイク７を用いて音声を収音する場合、５チャンネルサラウンド音声信号のうちの３つの信号を記録し、ダブルＭＳマイク７の指向性合成原理に基づいて、これらの３つの信号を元の５チャンネルの信号に変換することができる。
【００１７】
ここで、前述の説明では、演算回路１７の出力信号である５チャンネルサラウンド音声信号のうちのＣ，ＬＳ及びＲＳの３チャンネルの信号、またはＬ，Ｒ及びＲＳの３チャンネルの信号を記録するようにしたが、図４に示したように、ダブルＭＳマイク７の元の信号Ｍ，ＳＬ−ＳＲ，Ｂの３つの信号を記録し、（１）式に従って５チャンネルサラウンド音声に変換するようにしてもよい。但し、ダブルＭＳマイク７の前方収音用単一指向性ミッドマイク１２、双指向性サイドマイク１３（図５では単一指向性サイドマイク１６−１，１６−２）及び後方収音用単一指向性ミッドマイク１４のみ（マイク本体のみ）では、５チャンネルマイクとして使用することができない。
【００１８】
本発明は、このような変換原理に基づくものである。そこで、本発明によるチャンネル数変換回路は、記録装置に記録された音声を読み出し、該音声からマルチチャンネルのサラウンド音声を再生する再生装置に備えた回路であって、前記記録された音声のチャンネル数をサラウンド音声のチャンネル数に変換するチャンネル数変換回路において、サラウンド音声を形成する全てのチャンネルを第１のチャンネル群とし、該第１のチャンネル群のうちの、該チャンネルの数よりも少ない数のチャンネルを第２のチャンネル群とし、前記第１のチャンネル群のうち、第２のチャンネル群以外のチャンネルを第３のチャンネル群とし、前記記録装置に第２のチャンネル群の音声信号が記録されている場合に、記録装置から読み出された第２のチャンネル群の音声信号をそれぞれ入力し、演算回路により、前記第２のチャンネル群のそれぞれの音声信号に所定の演算を施し、第３のチャンネル群の音声信号をそれぞれ生成し、前記第２のチャンネル群の音声信号及び第３のチャンネル群の音声信号を、第１のチャンネル群であるサラウンド音声信号として出力することを特徴とする。
【００１９】
また、本発明によるチャンネル数変換回路は、双方向性マイク、または該双方向性マイクを形成する２つの単一指向性マイクをサイドマイクとし、主軸をそれぞれ前後に向けた２つの単一指向性マイクをミッドマイクとして構成したマイクにより、５チャンネルサラウンド音声が収音され、該収音された音声のうちの３チャンネルの音声信号が記録装置に記録され、該３チャンネル音声信号を５チャンネルサラウンド音声信号に変換するチャンネル数変換回路であって、記録装置から読み出された３チャンネル音声信号を入力し、演算回路により、前記３チャンネル音声信号に所定の演算を施し、他の２チャンネル音声信号を生成し、前記３チャンネル音声信号及び２チャンネル音声信号を、５チャンネルサラウンド音声信号として出力することを特徴とする。
【００２０】
また、本発明によるチャンネル数変換回路は、前記３チャンネル音声信号を、５チャンネルサラウンド音声信号Ｃ、Ｌ、Ｒ、ＬＳ及びＲＳのうちの音声信号Ｃ、ＬＳ及びＲＳとし、前記演算回路は、ａ、ｂ、ｅ及びｆを定数とした場合に、
2007181191.tif 000006
の数式により、他の２チャンネル音声信号Ｌ及びＲを生成することを特徴とする。
【００２１】
また、本発明によるチャンネル数変換回路は、前記３チャンネル音声信号を、５チャンネルサラウンド音声信号Ｃ、Ｌ、Ｒ、ＬＳ及びＲＳにおける、音声信号Ｃ、Ｌ及びＲのうちの２つの信号、並びにＬＳ及びＲＳのうちの１つの信号とすることを特徴とする。
【００２２】
また、本発明によるチャンネル数変換回路は、前記３チャンネル音声信号を、５チャンネルサラウンド音声信号Ｃ、Ｌ、Ｒ、ＬＳ及びＲＳにおける、音声信号Ｃ、Ｌ及びＲのうちの１つの信号、並びにＬＳ及びＲＳの２つの信号とすることを特徴とする。
【発明の効果】
【００２３】
本発明によれば、マルチチャンネルサラウンド信号のチャンネル数よりも少ないチャンネルの信号を記録し、当該チャンネル数の少ない信号から元のチャンネル数のサラウンド音声に再生することができる。これにより、例えば、映像と５チャンネルサラウンド音声とを再生する場合、Ｖロケカメラと呼ばれるＶＴＲ一体型ビデオカメラに、映像及び３チャンネルの信号を記録し、当該３チャンネルの信号から５チャンネルサラウンド音声を再生することができる。つまり、映像とマルチチャンネルサラウンド音声とを、そのチャンネル数よりも少ないチャンネル数の音声記録トラックを有するＶＴＲ一体型ビデオカメラのような１台の機器に記録することができる。したがって、映像と音声とを別々の機器に記録する場合の様々な煩雑事項が生じることがない。
【発明を実施するための最良の形態】
【００２４】
以下、本発明の実施の形態について図面を用いて詳細に説明する。
図１は、本発明の実施の形態による３ｃｈ−５ｃｈ変換回路を用いたサラウンド音声記録再生システムを示すブロック図である。このサラウンド音声記録再生システム１は、音声を収音する収音装置９と、当該収音装置９により収音された音声から目的の音声を再生する再生装置１１とにより構成される。収音装置９は、ダブルＭＳマイク７及びＶＴＲ一体型ビデオカメラ８を備えており、再生装置１１は、再生ＶＴＲ１０及び３ｃｈ−５ｃｈ変換回路６を備えている。
【００２５】
収音装置９のダブルＭＳマイク７は、図５に示したダブルＭＳマイク７に相当し、音声を収音し、前述の（１）式に示す５チャンネルサラウンド音声の信号に合成し、５チャンネルサラウンド音声信号のうちの３つの信号Ｃ，ＬＳ，ＲＳをＶＴＲ一体型ビデオカメラ８に出力する。ＶＴＲ一体型ビデオカメラ８は、音声信号Ｃ，ＬＳ，ＲＳを入力し、図示しない記録装置に記録すると共に、映像も記録する。ここで、ＶＴＲ一体型ビデオカメラ８は、４つの音声記録トラックを有しているため、ダブルＭＳマイク７が合成する５チャンネルサラウンド音声信号を記録することができない。そこで、ＶＴＲ一体型ビデオカメラ８は、３つの音声信号Ｃ，ＬＳ，ＲＳのみを記録し、後述する３ｃｈ−５ｃｈ変換回路６により、元の５チャンネルサラウンド音声信号がこの３つの音声信号Ｃ，ＬＳ，ＲＳから復元される。尚、図１に示すように、ＶＴＲ一体型ビデオカメラ８は、５チャンネルサラウンド音声信号以外の１チャンネルの音声信号を入力し、合計として４チャンネルの音声信号を記録するようにしてもよい。
【００２６】
そして、３つの音声信号Ｃ，ＬＳ，ＲＳを記録したＶＴＲ一体型ビデオカメラ８の記録装置が、再生装置１１の再生ＶＴＲ１０にセットされると、再生ＶＴＲ１０は、当該３つの音声信号Ｃ，ＬＳ，ＲＳを読み出し、３ｃｈ−５ｃｈ変換回路６に出力する。３ｃｈ−５ｃｈ変換回路６は、音声信号Ｃ，ＬＳ，ＲＳを入力し、前述の（２）式により、他の音声信号Ｌ，Ｒを生成し、元の５チャンネルサラウンド音声信号Ｃ，ＬＳ，ＲＳ，Ｌ，Ｒを出力する。すなわち、３ｃｈ−５ｃｈ変換回路６は、３チャンネルの音声信号を５チャンネルの音声信号に変換し、変換した５チャンネルの音声信号を出力する。このように、再生装置１１は、収音時に収音装置９により記録された３チャンネルの音声信号を、再生時に、元の５チャンネルサラウンド音声信号に復元することができる。
【００２７】
図２は、図１に示した３ｃｈ−５ｃｈ変換回路６の第１の回路例を示す図である。この第１の３ｃｈ−５ｃｈ変換回路６は、音声信号Ｃ，ＬＳ，ＲＳから音声信号Ｌ，Ｒを生成する回路である。第１の３ｃｈ−５ｃｈ変換回路６は、入力した音声信号ＬＳと、反転増幅器２−１により音声信号ＲＳを反転増幅した信号と、音声信号Ｃとを用いて、加算回路３−１により加算演算を施し、音声信号Ｌを生成する。具体的には、前述した（２）式のうちの第１式の演算を行う。また、第１の３ｃｈ−５ｃｈ変換回路６は、入力した音声信号Ｃと、反転増幅器２−２により音声信号ＬＳを反転増幅した信号と、音声信号ＲＳとを用いて、加算回路３−２により加算演算を施し、音声信号Ｒを生成する。具体的には、前述した（２）式のうちの第２式の演算を行う。また、第１の３ｃｈ−５ｃｈ変換回路６は、入力した音声信号Ｃ，ＬＳ及びＲＳをそのまま出力する。
【００２８】
図３は、図１に示した３ｃｈ−５ｃｈ変換回路６の第２の回路例を示す図である。この第２の３ｃｈ−５ｃｈ変換回路６は、音声信号Ｃ，ＬＳ，ＲＳから音声信号Ｌ，Ｒを生成する回路である。この第２の３ｃｈ−５ｃｈ変換回路６と図２に示した第１の３ｃｈ−５ｃｈ変換回路６とを比較すると、第２の３ｃｈ−５ｃｈ変換回路６は、先に（ＬＳ−ＲＳ）の演算を行う点で、後にこの演算を行う第１の３ｃｈ−５ｃｈ変換回路６と相違する。
【００２９】
第２の３ｃｈ−５ｃｈ変換回路６は、入力した音声信号ＬＳ，ＲＳとを用いて、減算器４−１により（ＬＳ−ＲＳ）を演算し、可変増幅器５により（ＬＳ−ＲＳ）を可変増幅する。そして、可変増幅後の信号と入力した音声信号Ｃとを用いて、減算器４−２により減算処理を施し、音声信号Ｒを生成する。また、可変増幅後の信号と音声信号Ｃとを用いて、加算器４−３により加算処理を施し、音声信号Ｌを生成する。具体的には、前述した（２）式の演算を行う。また、第２の３ｃｈ−５ｃｈ変換回路６は、入力した音声信号Ｃ，ＬＳ及びＲＳをそのまま出力する。
【００３０】
図６は、本発明の実施の形態による３ｃｈ−５ｃｈ変換回路を用いた他のサラウンド音声記録再生システムを示すブロック図である。このサラウンド音声記録再生システム１は、図１と同様に、収音装置９と再生装置１１とにより構成される。収音装置９は、ダブルＭＳマイク７及びＶＴＲ一体型ビデオカメラ８を備えており、再生装置１１は、再生ＶＴＲ１０及び３ｃｈ−５ｃｈ変換回路６を備えている。図１との相違は、音声信号Ｃ，ＬＳ，ＲＳの代わりに音声信号Ｌ，Ｒ，ＲＳを記録し、これらの３つの音声信号から元の５チャンネルサラウンド音声信号を復元することにある。
【００３１】
具体的には、収音装置９のダブルＭＳマイク７は、５チャンネルサラウンド音声信号のうちの３つの信号Ｌ，Ｒ，ＲＳをＶＴＲ一体型ビデオカメラ８に出力する。ＶＴＲ一体型ビデオカメラ８は、音声信号Ｌ，Ｒ，ＲＳを入力し、図示しない記録装置に記録すると共に、映像も記録する。そして、３つの音声信号Ｌ，Ｒ，ＲＳを記録したＶＴＲ一体型ビデオカメラ８の記録装置が、再生装置１１の再生ＶＴＲ１０にセットされると、再生ＶＴＲ１０は、当該３つの音声信号Ｌ，Ｒ，ＲＳを読み出し、３ｃｈ−５ｃｈ変換回路６に出力する。３ｃｈ−５ｃｈ変換回路６は、音声信号Ｌ，Ｒ，ＲＳを入力し、前述の（３）式により、他の音声信号Ｃ，ＬＳを生成し、元の５チャンネルサラウンド音声信号を出力する。
【００３２】
図７は、図６に示した３ｃｈ−５ｃｈ変換回路６の回路例を示す図である。この第３の３ｃｈ−５ｃｈ変換回路６は、音声信号Ｌ，Ｒ，ＲＳから音声信号Ｃ，ＬＳを生成する回路である。第３の３ｃｈ−５ｃｈ変換回路６は、入力した音声信号Ｌ，Ｒを用いて、加算器１８−１により（Ｌ＋Ｒ）を演算し、可変増幅器２０−１により（Ｌ＋Ｒ）を可変増幅し、音声信号Ｃを生成する。また、入力した音声信号Ｌ，Ｒを用いて、減算器１９により（Ｌ−Ｒ）を演算し、可変増幅器２０−２により（Ｌ−Ｒ）を可変増幅し、この結果と入力した音声信号ＲＳとを用いて、加算器１８−２により加算処理を施し、音声信号ＬＳを生成する。具体的には、前述した（３）式の演算を行う。また、第３の３ｃｈ−５ｃｈ変換回路６は、入力した音声信号Ｌ，Ｒ及びＲＳをそのまま出力する。
【００３３】
以上のように、３ｃｈ−５ｃｈ変換回路６によれば、５チャンネルサラウンド音声信号のうちの３チャンネルの音声信号から、元の５チャンネルの音声信号を復元するようにした。この場合、ＶＴＲ一体型ビデオカメラ８は、５チャンネルサラウンド音声信号のうちの３チャンネルの音声信号を記録すればよいから、記録媒体の制約を軽減することができる。例えば、屋外のロケ地において、４つの音声記録トラックを有するＶＴＲ一体型ビデオカメラ８を使用する場合であっても、５チャンネルサラウンド音声信号のうちの３チャンネルの音声信号を記録すればよい。この場合、音声を記録するために、特別なマルチトラックレコーダを用いる必要がないから、収録時の機動性を向上させることができる。また、サラウンド信号を伝送する場合も、３チャンネルの音声信号のみを伝送すれば済むから経済的に有利になる。また、ＶＴＲ一体型ビデオカメラ８のカメラマイクでサラウンド音声を記録することができるので、カメラの動きとマイクの動きの向きが連動し、映像と空間的に連動するサラウンド音声を記録することができる。
【００３４】
さらに、サラウンド音声を記録するために、音声チャンネルの数は少なくて済むため、空いた音声録音トラックに別の音声を記録することができる。例えば、サラウンドの環境音とモノのコメントとを別々のトラックに記録する収音手法を、４つの音声記録トラックを有するＶＴＲ一体型ビデオカメラ８のみで実現することができる。
【００３５】
また、図７に示した第３の３ｃｈ−５ｃｈ変換回路６によれば、音声信号Ｌ，Ｒ，ＲＳを入力し、元の５チャンネルサラウンド音声信号を出力するようにした。図２，３に示した第１，２の３ｃｈ−５ｃｈ変換回路６が音声信号Ｃ，ＬＳ，ＲＳを入力する場合と比較すると、図７に示した第３の３ｃｈ−５ｃｈ変換回路６の方が、ＶＴＲ一体型ビデオカメラ６において、記録媒体が２トラックしかなく、サラウンド録音しない場合にステレオ成分であるＬ，Ｒを録音することができるという利点がある。
【００３６】
以上、実施の形態を挙げて本発明を説明したが、本発明は上記実施の形態に限定されるものではなく、その技術思想を逸脱しない範囲で種々変形可能である。例えば、図１のサラウンド音声記録再生システム１では、５チャンネルサラウンド音声信号が３つの音声信号Ｃ，ＬＳ，ＲＳから復元される例を、図６のサラウンド音声記録再生システム１では、３つの音声信号Ｌ，Ｒ，ＲＳから復元される例をそれぞれ示した。しかし、本発明は、これらの３つの音声信号に限定されるものではなく、Ｌ，Ｒ，Ｃのうちの任意の２信号及びＬＳ，ＲＳのうちの任意の１信号を組み合わせた３つの音声信号、または、Ｌ，Ｒ，Ｃのうちの任意の１信号及びＬＳ，ＲＳの２信号を組み合わせた３つの音声信号であればよい。
【図面の簡単な説明】
【００３７】
【図１】本発明の実施の形態による３ｃｈ−５ｃｈ変換回路を用いたサラウンド音声記録再生システムを示すブロック図である。
【図２】本発明の実施の形態による第１の３ｃｈ−５ｃｈ変換回路を示すブロック図である。
【図３】本発明の実施の形態による第２の３ｃｈ−５ｃｈ変換回路を示すブロック図である。
【図４】ダブルＭＳマイクの収音原理を示す図である。
【図５】本発明の変換原理を説明するための図である。
【図６】本発明の実施の形態による３ｃｈ−５ｃｈ変換回路を用いた他のサラウンド音声記録再生システムを示すブロック図である。
【図７】本発明の実施の形態による第３の３ｃｈ−５ｃｈ変換回路を示すブロック図である。
【符号の説明】
【００３８】
１  サラウンド音声記録再生システム
２−１，２−２  反転増幅器
３−１，３−２  加算回路
４−１，４−２，１５−２，１５−４，１９  減算器
４−３，１５−１，１５−３，１８−１，１８−２  加算器
５，２０−１，２０−２  可変増幅器
６  ３ｃｈ−５ｃｈ変換回路
７  ダブルＭＳマイク
８  ＶＴＲ一体型ビデオカメラ
９  収音装置
１０  再生ＶＴＲ
１１  再生装置
１２  前方収音用単一指向性ミッドマイク
１３  双指向性サイドマイク
１４  後方収音用単一指向性ミッドマイク
１６−１，１６−２  単一指向性サイドマイク
１７  演算回路
【図１】
2007181191.tif 000008
【図２】
2007181191.tif 000009
【図３】
2007181191.tif 000010
【図４】
2007181191.tif 000011
【図５】
2007181191.tif 000012
【図６】
2007181191.tif 000013
【図７】
2007181191.tif 000014